(57)【要約】      （修正有）【課題】複数の電気設備の電気リモコンキーパッド機能と、ネットワーク制御システムのリモコン機能をまとめて、リモート操作できる多機能リモコン装置を提供する。【解決手段】リモコン装置は学習ユニット、学習ユニットを起動させる学習キー２２と複数の空白キー２３を含む。学習ユニットには、無線周波モジュール、赤外線モジュール、各種機能をまとめる集積チップがあり、ネットワーク制御システムは、少なくともサービスホスト６１、ｗｉｆｉマシン６２、コントローラ６３、ネットワークリモコン装置６４を含む。学習ユニットは、異なる電気リモコンまたはネットワークリモコン装置のリモコン信号が無線周波信号であるか赤外線信号であるかを問わず同時に検知する。信号検知モジュールは、単一ファンクションキーのリモコンインナーコードをそのチップにコピーすることにより、種々のリモコン家電製品、電子機器、ネットワークリモコン機能をリモコン装置に一括する。【選択図】図３
0003225756.tif 000002
【実用新案登録請求の範囲】
【請求項１】
多機能リモコン装置であって、
リモコン装置と、リモコン装置に設けられる学習ユニットとで構成され、
前記リモコン装置は、少なくとも学習ユニットを起動させる一つの学習キー及び複数の空白キーを有し、
学習ユニットは、無線周波モジュール（ＲＦ）、赤外線モジュール（ＩＲ）、および引きくるめる集積チップを含み、
無線周波モジュールは、無線周波信号が送信できる第１送信ユニットと、無線周波信号を受信できる第１受信ユニットを有し、
第１送信ユニットは、電気リモコン装置から送信している無線周波信号を受信して、集積チップに伝送し、判断読み取ってから保存し、
赤外線モジュールは、赤外線信号が送信できる第２の送信ユニットおよび赤外線信号を受信できる第２の受信ユニットを有し、
第２の受信ユニットは、前記電気リモコン装置と異なる電気リモコン装置から送信している赤外線信号を受信して、集積チップに伝送し、判断読み取ってから保存し、
学習キーといずれの空白キーが押されると、第１受信ユニットと第２受信ユニットは、電気リモコン装置のいずれのキーからの信号を同時に受信し、かつ信号が無線周波信号であるかまたは赤外線信号であるかを問わず同時に検知でき、
信号を検知するモジュールは、単一ファンクションキーのリモコンインナーコードをそのチップにコピーすることにより、各種のリモコン家電製品または電子機器の機能をリモコン装置に一括する、ことを特徴とする多機能リモコン装置。
【請求項２】
前記リモコン装置には、パネルが設けられ、学習キー及び空白キーはパネルに設けられる実体のキーである、ことを特徴とする請求項１に記載の多機能リモコン装置。
【請求項３】
前記リモコン装置には、パネルが設けられ、学習キー及び空白キーはパネルに設けられるバーチャル  キーである、ことを特徴とする請求項１に記載の多機能リモコン装置。
【請求項４】
電気設備とネットワーク制御システムを一括に引きくるめる多機能リモコン装置には、電気設備とネットワーク制御システムを一括に引きくるめる多機能リモコン装置であって、
請求項１に記載のリモコン装置と、ネットワーク制御システムとを含み、
前記リモコン装置に設けられる空白キーは、少なくとも、一つのオール  オンキーを有し、ネットワーク制御システムは、少なくともサービスホスト、ＷｉＦｉ（登録商標）マシン、コントローラ及びネットワークリモートコントロールを有し、
サービスホストは、制御プログラムを有し、コントローラを経由して、制御しようとする電気設備に接続され、電気設備をオール  オンまたはオールオフまたは部分オン、部分オフなど制御モードに設定し、また、制御プログラムで編集でき、サービスホストとコントローラの間の制御信号を伝送するのはｗｉｆｉマシンによって実現され、
コントローラは、有線または無線で複数の電気設備に接続でき、各電気設備には、専用の電気リモコン装置があり、各電気リモコン装置の開閉又はファンクションキーのインナーコードはリモコン装置の学習ユニットによって、特定の空のキーにコピーされ、リモコン装置のコピー完了したキーを押すと、信号がコントローラまで送信され、コントローラは、さらに制御の信号をＷｉＦｉ（登録商標）マシンを経由してサービスホストに送信し、サービスホストは制御信号をコントロールに送信し、制御命令を行い、
ネットワークリモコン装置には、複数のキーパッドを有し、無線周波または赤外線を使って、コントローラに接続された電気設備の開閉または他の機能を調整し、それらキーパッドには少なくとも１つのオールオフキーがあり、
オールオフキーは制御プログラムの設定されたオールオフ機能と連結し、起動の時に、ＷｉＦｉホストを経由して、オールＯＦＦ機能を起動しようとサービスホストに知らせ、接続のすべての電気設備をＯＦＦさせ、また、ネットワークリモコン装置のオールＯＦＦキー機能は、学習ユニットを通じてリモコンのＯＦＦキーにコピーすることもでき、この方法で、リモコンタイプが異なるさまざまな家電製品、電子機器、ネットワークリモコンの制御機能をリモコン装置に一括することを特徴とする多機能リモコン装置。
【請求項５】
前述した電気設備とネットワーク制御システムを一括に引きくるめる多機能リモコン装置には、コントローラが有線方式で電気設備に接続される場合、その一つの外側に複数の接線部が凸設され、各接線部には、ワイヤの一端が接続されるが、ワイヤの他端が対応の電気設備に接続され、同時に、一つ又は一つ以上の接続部は、信号線を使って、制御ボックスに電気的に接続することができ、制御ボックスには、無線伝送モジュールおよび少なくとも１つの制御接点が設けられ、制御接点ごとは、コントローラのいずれの接線部に電気的に接続され、電気設備のオールオン、又はオールオフ、部分オン、部分オフの制御を設定することができ、無線伝送モジュールは、ネットワークリモコン装置の制御を受けることができ、電気設備のオールオン、又はオールオフ、部分オン、部分オフなどの命令を、ｗｉｆｉマシンを経由してサービスホストに送信するということを特徴とする請求項４に記載の多機能リモコン装置。
【請求項６】
コントローラが無線方式で電気設備に接続される場合、コントローラは赤外線又は無線周波の送信機能を持つ以外、ネットワークリモコン装置をコントローラに設けることも可能であり、ネットワークリモコン装置は、学習ボタン、複数の空白ボタン、および第２の学習ユニットを有し、当該第２学習ユニットは同様に無線周波モジュール、赤外線モジュール、および集積チップを有し、無線周波モジュールは、いずれかの電気リモコン装置から送信された無線周波信号を受信し、信号を集積チップに送信して保存することができ、赤外線モジュールは、いずれの電気リモコン装置から送信された赤外線信号を受信し、信号を集積チップまで送信して保存することができ、
ネットワークリモコン装置がコピーしたいリモコン装置のいずれのキーに係るリモコン周波のインナーコードをコピーするときは、学習ボタンと空白ボタンを同時に押し、  モジュールおよび赤外線モジュールは、受信信号が無線周波数信号であるか赤外線信号であるかを同時に検出し、さらに信号を感知するモジュールは、電気リモコンの単一ファクションキーに係るリモコン周波数インナーコードを集積チップにコピーし、サービスホストは、コントローラを経由し、接続の電気設備のキーパッド機能をこの制御プログラムによって編集し、オール  オン、オールオフまたは部分オン、部分オフの機能を設定する、ことを特徴とする請求項４に記載の多機能リモコン装置。
【請求項７】
リリモコン装置の複数の空白キーはオールオフキー、シーン１、又はシーン２、およびヘルプキーを設定することができ、オールオフキーが、制御プログラムによって、すべての電気設備をオールオフに設定するという機能と連結し、  シーン１またはシーン２キーは、制御プログラムによって、一部の電気設備をオフにし、一部の電気設備をオンに設定するという機能にリンクと連結し、ヘルプキーを設定するとき、ネットワークリモコン装置には、ヘルプ発送キーがあり、制御プログラムの設定によって、少なくとも１つのヘルプ電話をかけることができ、  リモコン装置はまず、ヘルプ発送キーのリモコン周波に係るインナーコードを学習することによって、制御プログラムに設定されたヘルプモードがリモコン装置のヘルプキーと連結される、ことを特徴とする請求項４に記載の多機能リモコン装置。
【請求項８】
パネルが設けられ、学習キー及び空白キーはパネルに設けられる実体のキーである、ことを特徴とする請求項４に記載の多機能リモコン装置。
【請求項９】
パネルが設けられ、学習キー及び空白キーはパネルに設けられるバーチャル  キーである、ことを特徴とする請求項４に記載の多機能リモコン装置。
【考案の詳細な説明】
【技術分野】
【０００１】
本考案はリモコン装置に関し、特に、便利に多種の電子、電気設備及びネットワーク制御システムのリモコン機能を一括することによって、リモート操作できるようになる多機能リモコン装置を指し、使う利便性が向上する。
【背景技術】
【０００２】
生活の自宅でも、職場でも、人々がしばしば多くの電子設備や電気製品と接触する。これらの設備或いは製品は使用の際には、ほぼリモコン装置で制御するため、製品と同数のリモコン装置がある。
【考案の概要】
【考案が解決しようとする課題】
【０００３】
しかしながら、それら異なる電気製品の周波数が違う。例えば、テレビ、エアコン、ステレオは赤外線で制御し、カーテン、シャッタなどは無線周波で制御するため、往々複数のリモコンが使われて、とても不便である。
【０００４】
従来技術の「学習リモコン装置」は図７に示すうに、ケーシング１０、処理モジュール１１、保存モジュール１２、キーパッド制御モジュール１３、受信モジュール１４、及び送信モジュール１５、ディスプレイモジュール１６など要素から構成される。そのうち、受信モジュール１４と送信モジュール１５は赤外線、無線周波数、ブルートゥース（登録商標）のいずれも使える。また、保存モジュール１２には、事前に市場にあるすべての電気設備のメーカが公開しているリモコン装置のデータが保存される。学習キーパッド１３１を押して、学習モードに入り、もともとのリモコンキーパッド（例えば電源キーパッドなど）を押すと、元のリモコン装置は自身の製品番号を含む信号を学習機能付のリモコン装置１の受信モジュール１４まで送信している。学習機能付リモコン装置１のキーパッド制御モジュール１３にあるすべてのファクションキー（例えば電源キーパッド１３２、増加キーパッド１３３、減少キーパッド１３４など）は電気設備の元のリモコン装置との同じリモコン機能に設定される。でも、これに類似したような学習機能付リモコン装置には、一つの無線信号しかないため、無線周波と赤外線とのリモコン装置ともに並立に適用できず、且つ、異なる無線信号の複数のリモコン信号を１つのリモコン装置に一括してまとめることもできない。
【０００５】
さらに、ネットワークテクノロジーの発展に伴い、モノのインターネット（ＩｏＴ）のアプリケーションは、生活または仕事にどんどん出てきてる。例えば、遠距離からリモコン装置でマシンを起動させることまたは人の出入りを管理する門を開けることなどがある。また、ＩｏＴの制御はほぼスマホによって制御され、便利であるが、操作しているとき、いくつかのステップを経ないと、コントロールキーパッドの画面まではいれない。音声制御を使用しても、スマホを揺らさないと、起動もできない。特に充電中または家に帰って、スマホを身につけたくない場合に、家庭内の電気設備をリモコン装置で制御する必要があるのと同一の時間であれば、操作には、面倒や不都合がよく生じる。
【課題を解決するための手段】
【０００６】
上述した課題を解決するために、本案の主な目的は、『多機能リモコン装置』を提供することにある。無線周波または赤外線などの無線手段によって制御できる電子、電気設備のリモコン機能、ＩｏＴのリモコン機能は簡単な操作で、一括してリモコン装置にまとめる。したがって、ユーザーがただ一つのリモコン装置のみで、便利にさまざまなリモコン機能操作することができる。
【０００７】
本考案に関する多機能リモートコントロール装置は、複数の電気設備の電気リモコンキーパッド機能と、ネットワーク制御システムのリモコン機能をまとめて、一括にリモート操作できるリモコン装置を提供する。当該リモコン装置は学習ユニット、学習ユニットを起動させる学習キーと複数の空白キーを含む。その学習ユニットには、無線周波モジュール、赤外線モジュール、各種機能をまとめるための集積チップがあり、当該無線周波モジュールには、無線周波信号を送信できる第１送信ユニット、無線周波信号を受信できる第１受信ユニットがある。当該赤外線モジュールには、赤外線信号を送信できる第２送信ユニット、赤外線信号を受信できる第２受信ユニットがある。学習キーといずれの空白キーが押されると、第１受信ユニットと第２受信ユニットは、電気リモコン装置のいずれのキーからの信号を同時に受信し、かつ信号が無線周波信号であるかまたは赤外線信号であるかを問わず同時に検知できる。信号を検知するモジュールは、単一ファンクションキーのリモコンインナーコードをそのチップにコピーすることにより、さまざまなタイプのリモコン家電製品、電子機器、ネットワークリモコン機能をリモコン装置に一括する。
【０００８】
そのネットワーク制御システムは、サービスホスト、ｗｉｆｉマシン、コントローラ、およびネットワークリモコン装置を含む。サービスホストは、制御プログラムを有し、コントローラを経由して、制御しようとする電気設備に接続され、しかも、それら電気設備をオールＯＮまたはオールＯＦＦまたは部分ＯＮ、部分ＯＦＦなど制御モードに設定する。それは制御プログラムで編集できる。ただし、サービスホストとコントローラの間の制御信号を伝送するのはｗｉｆｉマシンによって担当する。そのコントローラは、有線または無線で複数の電気設備に接続できる。各電気設備には、専用の電気リモコン装置がある。各電気リモコン装置の開閉などのファンクションキーのインナーコードはリモコン装置の学習ユニットによって、特定の特定の空のキーにコピーする。そのネットワークリモコン装置には、複数のキーパッドを有し、無線周波または赤外線が使われて、コントローラに接続された電気設備の開閉または他の機能が調整される。キーパッドには少なくとも１つのオールオフキーがある。そのオールオフキーは制御プログラムの設定されたオールＯＦＦ機能と連結する。起動の時に、ＷｉＦｉホストを経由して、オールオフ機能を起動しようとサービスホストに知らせ、接続しているすべての電気設備をＯＦＦさせる。また、ネットワークリモコン装置のオールＯＦＦキー機能は、学習ユニットを通じて新しいリモコンのＯＦＦキーにコピーすることもできる。この方法で、リモコンタイプが異なるさまざまな家電製品、電子機器、ネットワークリモコンの制御機能をリモコン装置に一括する。
【図面の簡単な説明】
【０００９】
【図１】本案のリモコン装置を示す平面図。
【図２】本案のリモコン装置によって、電気リモコン装置のキーパッド機能を学習する説明図。
【図３】本案のネットワークシステムが有線の方式によって、電気設備に連結されるフレームワークチャート。
【図４】本案のネットワークシステムが無線の方式によって、電気設備に連結されるフレームワークチャート。
【図５】本案のネットワークシステムが無線と有線併用の方式によって、電気設備に連結されるフレームワークチャート。
【図６】本案のリモコン装置によって、ネットワークのリモコン装置のキーパッド機能を学習する説明図。
【図７】従来の既存案の平面図。
【考案を実施するための形態】
【００１０】
図１〜図６を参照されたい。本案の「多機能リモコン装置」は、複数の電気設備４０の電気リモコン装置５０のキーパッド機能と、ネットワーク制御システム６０のリモコン機能をリモコン装置２０に一括する。  当該電気設備４０は、エアコン、テレビ、天井扇風機、シャッタ、ステレオ、ランプ、または工業、農業用の機械設備などがあげられる。
【００１１】
図１〜図２に示すように、リモコン装置２０は、本体の上方には、パネル２１が設けられ、内部には、学習ユニット３０が設けられる。そのパネル２１には、学習キー２２及び複数の空白キーを有する。学習キー２２及びそれら空白キー２３はパネル２１に設けられた実体のあるキーであってもよい。またはパネル２１はタッチパネルであり、学習キー２２及びそれら空白キー２３はタッチパネルに表示されるバーチャルキーであってもよい。実体のキーまたはバーチャルキーを問わず、いずれの主な機能は学習キー２２が押されたとき、学習ユニット３０を起動させる。また、空白キー２３には、名称がプリセットされたキーパッドを含み、例えば、ＴＶオン、ＴＶオフ、入力、確認、０−９数字キー、チャンネル調整キー、音量調整キー、ステレオオン、ステレオオフ、ファンオン、ファンオフ、スリープオン、スリープオフ、オールオフ、エアコンオン、エアコンオフ、カーテンオン、カーテンオフ、ライトオールオン、ライトオールオフ、シーン１、シーン２、ヘルプなどのキーパッドがある。さらに、夜間に照明を提供するためにフロントエンドに電球２４を設置してもよい。
【００１２】
学習ユニット３０は、無線周波モジュール（ＲＦ）３１、赤外線モジュール（ＩＲ）３２、および引きくるめる集積チップ３３を含む。無線周波モジュール３１は、無線周波信号が送信できる第１送信ユニット３１１と、無線周波信号が受信できる第１受信ユニット３１２を有する。  第１送信ユニット３１２は電気リモコン装置５０から送信している無線周波信号を受信し、接続されたピンを経由して、集積チップ３３まで伝送し、判断読み取ってから保存する。それに対して、赤外線モジュール３２は、赤外線信号が送信できる第２の送信ユニット３２１、および赤外線信号が受信できる第２の受信ユニット３２２を有する。第２の受信ユニット３２２は、別の電気リモコン装置５０｀から送信している赤外線信号を受信し、接続されたピンを経由して、集積チップ３３まで伝送し、判断読み取ってから保存する。
【００１３】
使用の際には、学習しようとする電気リモコン装置５０のキー、学習キー２２、対応する空白キー２３を押すと、第１の受信ユニット３１２および第２の受信ユニット３２２が電気リモコン装置５０からの信号を同時に受信し、信号が無線周波数信号であるか赤外線信号であるかを検出する。次に、信号を感知するモジュールは、電気リモコン装置５０の単一のファンクションキーであるリモコン周波数のインナーコードを集積チップ３３にコピーする。それによって、さまざまなタイプのリモコン家電製品又は電子機器リモコン機能をリモコン装置２０に一括する。
【００１４】
電気機器４０は、エアコン、テレビ、天井扇風機、シャッタ、ステレオ、ランプ、または工業用の機器設備などであってもよい。
【００１５】
前記のネットワーク制御システム６０は、サービスホスト６１、ｗｉｆｉマシン６２、少なくとも１つのコントローラ６３、６３｀、およびネットワークリモコン装置６４を含む。その中で、
【００１６】
前記のサービスホスト６１は、ノートブックまたはタブレットコンピュータであり、制御プログラム６１１を有し、コントローラ６３、６３｀を通じて、制御しようとする電気設備４０に接続し、それら電気設備４０をオールオンまたはオールオフ、または一部の電気設備４０オン、一部の電気設備４０オフなど制御モードに設定する。それらは制御プログラム６１１で編集できる。
【００１７】
前記のＷｉＦｉマシン６２は、サービスホスト６１とコントローラ６３、６３｀との間における制御信号の送信を提供する。
【００１８】
コントローラ６３および６３'は、有線または無線の方式でそれらの電気機器４０に接続することができる。各電気設備４０は、専用の電気リモコン装置５０を有する。各電気リモコン装置５０の開閉、又はファクションキーの調整に使うリモコン周波のインナーコードはリモコン装置２０の学習ユニット３０を使用し、特定の空白キーにコピーされる。リモコン装置２０のコピー完了したキーを押すと、信号がコントローラ６３および６３'まで送信される。  コントローラ６３、６３｀は、さらにトリガ信号をＷｉＦｉマシン６２を経由してサービスホスト６１に送信する。サービスホスト６１は、制御プログラム６１１の設定に従って制御信号をコントロール６３、６３'に送信し、制御命令を行う。
【００１９】
ネットワークリモコン装置６４は複数のキーがある。無線周波または赤外線によって、コントローラ６３、６３｀に接続された電気設備の開閉またはその他の機能調整を制御することができる。これらキーは少なくとも１つのオールオフキー６４１がある。  オールオフキー６４１は制御プログラム６１１によって設定されたフルオフ機能に連結する。起動の際には、ｗｉｆｉマシン６２を使ってサービスホスト６１に知らせ、フルオフ機能を起動させ、接続されているすべての電気設備４０をオフする。また、ネットワークリモコン装置６４が少なくとも１つのオールオフキー６４１がある。  同様に学習ユニット３０を使ってリモコン装置２０のオールオフキーにコピーすることもできる。電気機器４０のリモコン機能とネットワークシステム６０のリモートコン機能をリモコン装置２０に一括することにより、ユーザーが便利に操作して制御できる。
【００２０】
図３に示すように、コントローラ６３が有線方式で電気設備４０に接続される場合、その一つの外側に複数の接線部６３１が凸設される。各接線部６３１には、ワイヤの一端が接続されるが、ワイヤの他端が対応の電気設備４０に接続される。同時に、一つ又は一つ以上の接続部６３１は、信号線を使って、制御ボックス６３２に電気的に接続することができる。制御ボックス６３２には、無線伝送モジュール６３３および少なくとも１つの制御接点６３４が設けられている。制御接点ごと６３４は、コントローラ６３のいずれの接線部６３１に電気的に接続され、電気設備４０のオールオン、又はオールオフ、部分オン、部分オフなどの制御を設定することができる。無線伝送モジュール６３３は、ネットワークリモコン装置６４の制御を受けることができ、電気設備４０のオールオン、又はオールオフ、部分オン、部分オフなどの命令を、ｗｉｆｉマシン６３を経由してサービスホスト６１に送信する。
【００２１】
次に、図４に示すように、コントローラ６３｀が無線方式でそれらの電気設備４０に接続される場合に、少なくとも赤外線または無線周波の無線伝送機能を有する。応用の際には、無線周波または赤外線が受信できるテレビ、エアコン、又はシャッターなどの電気設備４０ならば、コントローラ６３｀は直接に制御信号を送信することができる。リモコン機能がないランプなどの電気設備４０｀ならば、上記図３で述べた制御ボックス６３２に接続する必要があり、制御ボックス６３２のビルトイン無線送信モジュール６３３を経由して、無線信号を受信する。また、ネットワークリモコン装置６４は、コントローラ６３｀に設けられる。ネットワークリモコン装置６４'は、学習ボタン６４２、複数の空白ボタン６４３、および第２の学習ユニット６４４を有する。当該学習ユニット６４４は同様に無線周波モジュール６４５、赤外線モジュール６４６、および集積チップ６４７を有する。無線周波モジュール６４５は、いずれの電気リモコン装置５０から送信された無線周波信号を受信し、信号を集積チップ６４７まで送信して保存することができる。赤外線モジュール６４６は、いずれの電気リモコン装置５０｀から送信された赤外線信号を受信し、信号を集積チップ６４７まで送信して保存することができる。
【００２２】
上記のネットワークリモコン装置６４｀が電気リモコン装置５０'のいずれのキーに係るリモコン周波のインナーコードをコピーするとき、電気リモコン５０｀のキーを押してから、同時に学習ボタン６４２と空白ボタン６４３を押す。モジュール６４５および赤外線モジュール６４６は、受信信号が無線周波数信号であるか赤外線信号であるかを同時に検出する。さらに信号を感知するモジュールは、電気リモコン５０｀の単一ファクションキーに係るリモコン周波数インナーコードを集積チップ６４７にコピーする。サービスホスト６１には、制御プログラム６１１があり、コントローラ６３｀を経由し、接続の電気設備４０のキーパッド機能をこの制御プログラム６１１に編集し、つまり、オールオン、オールオフまたは部分オン、部分オフの機能を設定する。
【００２３】
また、図５に示すように、本案のネットワーク制御システム６０は、有線コントローラ６３および無線コントローラ６３｀を組み合わせて使ってもよいし、有線および無線コントローラ６３、６３｀を電気的に接続する。例えば、リモコン装置２０がフルオフ信号を送信すると、無線コントローラ６３｀は信号を受信し、無線機６２を経由して、信号パケットをサービスホスト６１に送信する。さらに、制御プログラム６１１は執行命令を無線コントローラ６３｀に発出する。無線信号を受信することができるエアコン、テレビなど電気設備ならば、無線コントローラ６３'によって、信号を伝送して制御する。無線信号を受信することができないランプならば、有線コントローラ６３によって、信号を伝送して制御する。
【００２４】
この案のリモコン装置２０は、ネットワーク制御システム６０と組み合わせて協働し、オールオフキー、シーン１、又はシーン２、およびヘルプキーを設定するとき、オールオフキーが、制御プログラム６１１によって、すべての電気設備４０をオールオフに設定するという機能と連結する。シーン１またはシーン２キーは、制御プログラム６１１によって、一部の電気設備４０をオフにし、一部の電気設備をオンに設定するという機能にリンクと連結する。ヘルプキーを設定するとき、ネットワークリモコン装置６４には、ヘルプ発送キー６４８がある。制御プログラム６１１の設定によって、少なくとも１つのヘルプ電話をかけることができる。ヘルプ発送キー６４８を起動すると、制御プログラム６１１を経由してヘルプ電話を親友または病院までかけることができる。リモコン装置２０はまず、ヘルプ発送キー６４８（図６に示すように）のリモコン周波に係るインナーコードを学習する。それで、制御プログラム６１１に設定されたヘルプモードがリモコン装置２０のヘルプキーと連結される。
【００２５】
また、本案のリモコン装置２０には、音声制御できるＩＣ２５が設けられて、マイク２６と音声制御キー２７を電気的に接続しても可能である。ユーザーが音声制御キー２７及び連動用のいずれのキーを押す場合、例えばテレビオンの連動キーを押し、しかもマイク２６に向かって「テレビ、つける」という言葉を言うと、音声制御ＩＣ２５は音声を録音し、テレビオンキーと連動している。つまり、ユーザーが音声制御機能を使用しようとするとき、まず音声制御キー２７を押し、次にマイク２６に「テレビ、つける」を話しかけることにより、音声でテレビをオンさせるという目的が達成できる。
【符号の説明】
【００２６】
リモコン装置（２０）        パネル（２１）
学習キー（２２）                空白キー（２３）
ランプ（２４）                音声制御ＩＣ（２５）
マイク（２６）                音声制御キー（２７）
学習ユニット（３０）                無線周波モジュール（３１）
第一発信ユニット（３１１）        第一受信ユニット（３１２）
赤外線モジュール（３２）        第二送信ユニット        （３２１）
第二受信ユニット（３２２）        集積チップ（３３）
電気設備（４０）        電気リモコン装置（５０、５０'）
ネットワーク制御システム（６０）        サービスホスト（６１）
【図１】
0003225756.tif 000003
【図２】
0003225756.tif 000004
【図３】
0003225756.tif 000005
【図４】
0003225756.tif 000006
【図５】
0003225756.tif 000007
【図６】
0003225756.tif 000008
【図７】
0003225756.tif 000009